(57)【要約】【課題】材料を傷めることなく、最小限の労力で移載できるようにすることにある。【解決手段】印刷された大判の紙葉の、大量の枚数を積み重ねた材料Ｂを、上流の作業装置から下流の作業装置に移送する移載装置１であって、材料Ｂが上流の作業装置から乗載設置される第一ステージ６と、この第一ステージ６に隣接し、移し換えられた材料Ｂを搭載して下流の作業装置の直上にスライドする第二ステージ７と、を有する構成で、第一ステージ６と第二ステージ７とを第二ステージ７側に下降傾斜させ、或いは第一ステージ６と第二ステージ７とを下流方向に下降傾斜させる。【選択図】　　　　図２
2004106967.tif 000002
【特許請求の範囲】
【請求項１】
印刷された大判の紙葉の、大量の枚数を積み重ねた材料（Ｂ）を、上流の作業装置から下流の作業装置に移送する移載装置（１）であって、
前記材料（Ｂ）が上流の作業装置から乗載設置される第一ステージ（６）と、
該第一ステージ（６）に隣接し、移し換えられた前記材料（Ｂ）を搭載して下流の作業装置の直上にスライドする第二ステージ（７）と、を有することを特徴とする移載装置。
【請求項２】
第一ステージ（６）と第二ステージ（７）とを第二ステージ（７）側に下降傾斜させた請求項１に記載の移載装置。
【請求項３】
第一ステージ（６）と第二ステージ（７）とを下流方向に下降傾斜させた請求項１または２に記載の移載装置。
【発明の詳細な説明】
【０００１】
【発明が属する技術分野】
本発明は、印刷された紙葉材料を上流の作業装置から下流の作業装置に移送する移載装置に関する。
【０００２】
【従来の技術】
大判の紙面に印刷を施した印刷過程の最終段階では、周知のようにその大判紙を積み重ねておいて本などの所定の判に裁断する。
【０００３】
この作業工程は、積み重ねられた大判紙である材料をフォークリフト等で待機ステージ上に乗載させ、人力でこの材料を紙揃え機に乗載し、振動を与えることにより捌き、各紙葉間の密着を剥がすと共に縁を整え、更にカッターステージに人力で移送し、縁どり切断等をカッターで行うのである。
【０００４】
【発明が解決しようとする課題】
しかしながら上記工程にあって、特に待機ステージ上の材料を人力で紙揃え機の直上に乗載させるには大きな労力と困難が伴っていた。即ち、積み重ねられた大判紙である材料は、例えば幅１５０ｃｍ以上のＡ０判、Ｂ０判等の大きさで、一度の作業量単位では厚さ３０ｍｍ以上あり、紙質にもよるが極めて重量の嵩むものであったため、強い体力を必要とし、大きな握力を必要とするので腱鞘炎になり易い等の欠点があったのである。
【０００５】
この点を解消するべく、例えば待機ステージと紙揃え機との間にローラー状のコンベアを配することも行われているが、材料は紙揃え機の直上にまで搬送させなければならないので、その際に材料の下部が折れ曲がったり、皺が寄ったりする不都合が存していた。
【０００６】
よって本発明は、上述した従来技術の不満点を解決するため開発された移載装置であって、材料を傷めることなく、最小限の労力で移載できるようにすることを目的とする。
【０００７】
【課題を解決するための手段】
上記課題を解決するため本発明の移載装置は、印刷された大判の紙葉の、大量の枚数を積み重ねた材料を、上流の作業装置から下流の作業装置に移送する移載装置であって、前記した材料が上流の作業装置から乗載設置される第一ステージと、この第一ステージに隣接し、移し換えられた材料を搭載して下流の作業装置の直上にスライドする第二ステージと、を有することを特徴とする。
【０００８】
この場合、第一ステージと第二ステージとを第二ステージ側に下降傾斜させ、或いは第一ステージと第二ステージとを下流方向に下降傾斜させる。
【０００９】
【発明の実施の形態】
先ず、図１は本発明の移載装置１の周辺配置を平面的に示したもので、作業者Ａを中心にして、積み重ねられた大判紙である材料Ｂはフォークリフト等で待機ステージ２上に乗載され、その下流に隣接して本発明の移載装置１が配置され、この移載装置１の下流に紙揃え機３、紙揃え機３の下流にカッターステージ４及びカッター５が配される。
【００１０】
移載装置１は、待機ステージ２に隣接する第一ステージ６と、この第一ステージ６に並列して紙揃え機３の直上まで前進する第二ステージ７とから構成される。
【００１１】
脚８上に固定された第一ステージ６の下方には走行シリンダ９が配され、この走行シリンダ９には連結プレート１０が組み付けられ、更にこの連結プレート１０の他端部に前記した第二ステージ７が固定されている。それ故、所定のタイミングで走行シリンダ９が走行すると、それに伴って連結プレート１０は第一ステージ６の下面を前進後退動し、第二ステージ７も第一ステージ６に沿って前進後退動することになる。
【００１２】
第一ステージ６の下面には走行シリンダ９に沿って三個のリミットスイッチ１１が配され、連結プレート１０の一方端が接触することによりオン／オフとなり、走行シリンダ９の走行を規制する。
【００１３】
また、第一ステージ６は、一対の第一ジャッキシリンダ１２によって第二ステージ７方向への下降傾斜が第二ステージ７と共にできるようにし、更に一対の第二ジャッキシリンダ１３によって紙揃え機３方向への下降傾斜が第二ステージ７と共にできるようにしてある。
【００１４】
さて、上述した構成にあって、作業者Ａが積み重ねられた大判紙である材料Ｂの所定量（例えば厚さ３０ｍｍ分）を待機ステージ２から移載装置１の第一ステージ６にずらし、更に第二ステージ７上に押し出す。この際、第一ジャッキシリンダ１２を作動させて全体を第二ステージ７方向に下降傾斜させれば、この移動を円滑に達成させることができよう。
【００１５】
材料Ｂを第二ステージ７上に乗載させたならば所定のスイッチを入れ、走行シリンダ９を走行させる。このスイッチの入力は、手動でも良いし、光センサの作動、乗載した材料Ｂの重力感知等、種々考えられる。
【００１６】
走行シリンダ９の走行により第二ステージ７は下流の紙揃え機３の直上にまで前進し、次いで例えばリミットスイッチ１１の動作により後退して原位置に復帰する。この後退の際に作業者Ａが材料Ｂの後端を押さえていれば、材料Ｂはそのまま取り残されて紙揃え機３に落下乗載し、次の作業にかけられるのである。また、第二ジャッキシリンダ１３によって第二ステージ７を紙揃え機３方向に下降傾斜させれば、前記と同様、移動が円滑に達成される。
【００１７】
図２は第二ステージ７の前進前の姿勢、図３は中間のリミットスイッチ１１の動作により第二ステージ７の前進が途中の姿勢、図４は前進限の第二ステージ７の姿勢である。
【００１８】
【発明の効果】
本発明にかかる移載装置は上述した構成をとり、作用を営む。従って、積み重ねられた肉厚な重量の嵩む大判紙を極めて軽い労力で容易に移動させることができ、大判紙を折り曲げたり傷めたりすることもない等、多くの優れた効果を奏する。
【図面の簡単な説明】
【図１】本発明にかかる移載装置の平面配置図である。
【図２】本発明にかかる移載装置の平面図である。
【図３】第二ステージの前進途中の姿勢の平面図である。
【図４】第二ステージの前進限姿勢の平面図である。
【図５】本発明にかかる移載装置の正面図である。
【図６】本発明にかかる移載装置の側面図である。
【符号の説明】
１；移載装置、２；待機ステージ、３；紙揃え機、４；カッターステージ、５；カッター、６；第一ステージ、７；第二ステージ、８；脚、９；走行シリンダ、１０；連結プレート、１１；リミットスイッチ、１２；第一ジャッキシリンダ、１３；第二ジャッキシリンダ、Ａ；作業者、Ｂ；材料。
【図１】
2004106967.tif 000003
【図２】
2004106967.tif 000004
【図３】
2004106967.tif 000005
【図４】
2004106967.tif 000006
【図５】
2004106967.tif 000007
【図６】
2004106967.tif 000008